(57)【要約】【課題】衝撃吸収特性に富んだ折りたたみ自在な硬質紙製包装用を提供すること。【解決手段】両側と底面に折りたたみ自在なひだが設けられ、底面寄りの両側部に逃げ穴が設けれてなるもの。【選択図】　　　　図３
2004115047.tif 000002
【特許請求の範囲】
【請求項１】
方形状であって有底の包装用箱本体の開口縁に閉鎖用フラップが連設されてなる折りたたみ自在な硬質紙製包装用箱において、
前記の開口縁と直角方向であって該包装用箱本体の両側のそれぞれの側部縁に側部の折目が設けられ、
側部の折目の内側に一定の間隔を隔てて側部の折目と平行に側部の第２の折目が該包装用箱本体の正面および背面にそれぞれ設けられ、
側部の折目からその両側の側部の第２の折目に至る部分が該包装用箱本体の折りたたみ自在な側面として区画形成され、
一方、該閉鎖用フラップの反対側の該包装用箱本体の底部縁に底部の折目が設けられ、
底部の折目の内側に一定の間隔を隔てて底部の折目と平行に底部の第２の折目が該包装用箱本体の正面および背面にそれぞれ設けられ、
底部の折目からその両側の底部の第２の折目に至る部分が該包装用箱本体の折りたたみ自在な底面として区画形成されるとともに前記の該包装用箱本体の側面と底面との幅が等しく設定され、
側部の第２の折目と底部の第２の折目の交差部から底部の折目の外側端にかけて傾斜した折目が該包装用箱本体の正面および背面にそれぞれ設けられ、
側部の折目と底部の第２の折目の交差部に逃げ穴が設けられてなることを特徴とする折りたたみ自在な硬質紙製包装用箱。
【請求項２】
逃げ穴が側部の折目と底部の第２の折目の交差部を中心として底部の第２の折目の線方向に楕円形に設けられてなることを特徴とする請求項１記載の折りたたみ自在な硬質紙製包装用箱。
【請求項３】
方形状であって有底の包装用箱本体の開口縁に閉鎖用フラップが連設されてなる折りたたみ自在な硬質紙製包装用箱において、
前記の開口縁と直角方向であって該包装用箱本体の両側の側部縁に側部の折目がそれぞれ設けられ、
側部の折目の内側に一定の間隔を隔てて側部の折目と平行に側部の第２の折目が該包装用箱本体の正面および背面にそれぞれ設けられ、
側部の折目からその両側の側部の第２の折目に至る部分が該包装用箱本体１の折りたたみ自在な側面として区画形成され、
一方、該閉鎖用フラップの反対側の該包装用箱本体の底部縁に底部の折目が設けられ、
底部の折目の内側に一定の間隔を隔てて底部の折目と平行に底部の第２の折目が該包装用箱本体の正面および背面にそれぞれ設けられ、
底部の折目からその両側の底部の第２の折目に至る部分が該包装用箱本体の折りたたみ自在な底面として区画形成され、
該閉鎖用フラップにおいて、包装用箱本体と該閉鎖用フラップとの境に開口縁側の折目が、該開口縁側の折目から一定の間隔を隔てて該開口縁側の折目と平行に蓋部の折目が、さらに、該蓋部の折目から一定の間隔を隔てて該蓋部の折目と平行に蓋部の第２の折目がそれぞれ設けられるとともに該蓋部の折目からその両側の蓋部の第２の折目および開口縁側の折目に至る部分が該包装用箱本体の折りたたみ自在な蓋面として区画形成され、
前記の該包装用箱本体の側面、底面および蓋面の幅が等しく設定されてなることを特徴とする折りたたみ自在な硬質紙製包装用箱。
【発明の詳細な説明】
【０００１】
【産業上の利用分野】
この発明は、ひだ付き紙製包装用箱に関する。
とりわけ衝撃吸収特性を備えた硬質の紙による折りたたみ自在なひだ付き包装用箱に関する。
【０００２】
【従来の技術】
従来のこの種の包装用ひだ付き紙製包装体の一例である包装用袋は、折りたたむことが自在にできるようにするために柔軟なクラフト紙を採用することが普通であった（例えば、非特許文献１参照）。
非特許文献１記載のものは、使用時の横断面の形態がひだを備えた横に長い長方形を呈しているもので、知られるように中央部に折目４０を備え、一定の幅を備えた側面Ｓが設けられ、底面Ｂは紙袋本体の長さに等しく、側面Ｓの幅に等しい長方形として形成されていた（図１５を参照）。
【０００３】
非特許文献１記載のひだ付き紙袋は、紙質が柔軟なクラフト紙であるから、折りたたみ時の負荷がかかるか否やに拘わらず、側面Ｓに形成された折目４０を境にして側面Ｓを内側へ折りたたみ、底面Ｂをひだ付き紙袋本体との境に形成された折り目およびひだ付き紙袋本体の底面Ｂ寄りの折り目を基準にして内側に折りたたむことができるから非使用時に嵩張ることがなかった。
他方、使用時には折目４０を境にして側面Ｓを開くとともに底面Ｂを外側に開くことにより、横断面の形態が横に長い長方形のひだ付き紙袋として使用に供することができた。
したがって、非使用時の保管や使用時の利便性に富んでいる有利性があるものの、紙質が破損し易い柔軟なクラフト紙などに制約されるから、その結果、甚だ衝撃吸収性に欠けるという決定的な問題があった。
【０００４】
他方、硬質の紙を生地とする包装用箱としていわゆるサック箱として知られているものがある（例えば、非特許文献２参照）。
非特許文献２記載の例は方形の筒形の箱本体４２と両側に閉鎖用フラップ４４と底部用フラップ４６を備えた内装本体４８が独立して設けられ、筒形の箱本体４２内に内装本体４８が挿入され、底部用フラップ４６を２本の折目５０、５２を介して内側に折曲させると共に横フラップ４６ａの舌片４６ｂを折目４６ｃを介して内側に折曲させることにより底部を形成し、他方、被包装物例えばキャラメルを包装後、閉鎖用フラップ４４を箱本体４２内に折曲させるようにしたものとして知られている（図１６を参照）。
【０００５】
しかし、この種の箱は知られるように手軽に使用できるものの、箱本体４２と内装本体４４が独立したものであるから、被包装物の包装後に外周面に知られるように透明な外装被膜を行うことにより、箱の形態を維持し、被包装物の飛び出しを防止することが行われていた。
したがって、量産向きの安易な箱であるが、箱本体４２と内装本体４４を独立に折りたたみができるとしても、両者は一体に折曲できなく、衝撃吸収性にすぐれているとは到底言えなかった。
【０００６】
【非特許文献１】
河村　博発行人「株式会社日本包装タイムス社」、昭和４０年３月１０日発行、第２０９頁
【非特許文献２】
河村　博発行人「株式会社日本包装タイムス社」、昭和４０年３月１０日発行、第４１２頁
【０００７】
【発明が解決しようとする課題】
そこで、この発明は、前記した問題点を解消しようとするものであって、紙質が硬質であるものの、折りたたみ自在な機能を維持しつつ、衝撃吸収性に富んだひだを備えた硬質紙製包装用箱を提供することにある。
【０００８】
【課題を解決するための手段および作用効果】
請求項１記載の折りたたみ自在な硬質紙製包装用箱の発明は、
方形状であって有底の包装用箱本体の開口縁に閉鎖用フラップが連設されてなる折りたたみ自在な硬質紙製包装用箱において、前記の開口縁と直角方向であって該包装用箱本体の両側のそれぞれの側部縁に側部の折目が設けられ、側部の折目の内側に一定の間隔を隔てて側部の折目と平行に側部の第２の折目が該包装用箱本体の正面および背面にそれぞれ設けられ、側部の折目からその両側の側部の第２の折目に至る部分が該包装用箱本体の折りたたみ自在な側面として区画形成され、一方、該閉鎖用フラップの反対側の該包装用箱本体の底部縁に底部の折目が設けられ、底部の折目の内側に一定の間隔を隔てて底部の折目と平行に底部の第２の折目が該包装用箱本体の正面および背面にそれぞれ設けられ、底部の折目からその両側の底部の第２の折目に至る部分が該包装用箱本体の折りたたみ自在な底面として区画形成されるとともに前記の該包装用箱本体の側面と底面との幅が等しく設定され、側部の第２の折目と底部の第２の折目の交差部から底部の折目の外側端にかけて傾斜した折目が該包装用箱本体の正面および背面にそれぞれ設けられ、側部の折目と底部の第２の折目の交差部に逃げ穴が設けられてなることを特徴とするものである。
【０００９】
請求項１記載の折りたたみ自在な硬質紙製包装用箱の発明は上記の構成であるから、紙材が硬質であるものの、折りたたみ自在な機能を維持しつつ、衝撃吸収性に富み、ひだを備えた硬質紙製包装用箱を提供することができる。
【００１０】
硬質紙製包装用箱の使用時について
板状に折りたたまれた硬質紙製包装用箱を使用に備えて組立てる方法を説明する。
該箱の側部の折目付近を内側に向けて押圧する。
かくして側部の折目の両側の側面（使用時の側面の１／２の面積を占める）は側部の折目と両側の側部の第２の折目を介して板状の状態から直角状態に立起され、箱としての正規の側面（使用時の側面の１／１の面積を占める）を構成することになる。
【００１１】
他方、該箱の底部の折目付近を内側に向けて押圧する。
かくして底部の折目の両側の底面（使用時の底面の１／２の面積を占める）は底部の折目と両側の底部の第２の折目を介して板状の状態から直角状態に立起され、箱としての正規の底面（使用時の底面の１／１の面積を占める）を構成することになる（図３を参照）。
【００１２】
ここで注目されることは、箱の側面と箱の底面とは底面側においてＬ字状に繋がっているから、とりわけ、側部の折目と底部の第２の折目の交差部には押圧による負荷がかかり、箱の側面や底面を板状の状態から直角状態に立起させることは本来困難である。
【００１３】
しかし、この発明は、負荷がかかることなく箱の側面や底面を板状の状態から直角状態に立起させて使用に供することができるようにするため、側部の折目と底部の第２の折目の交差部に逃げ穴が設けられ、さらに、側部の第２の折目と底部の第２の折目の交差部から底部の折目の外側端にかけて傾斜した折目が該包装用箱本体の正面および背面にそれぞれ設けられていることにより、前記した負荷の解消を図るようにしているから、本来、硬質の紙であれば自由に折りたたみできないものが可能となった。
【００１４】
この点について、さらに言及すると、板状に折曲された側面を押圧させて開く場合にその応力は底面に対して直角方向に作用する。
他方、板状に折曲された底面を押圧させて開く場合にその応力は側面に対して直角方向に作用するし、その応力は側面と底面の交差する部分に集中する。
しかし、この発明では前記したように側部の折目と底部の第２の折目の交差部に逃げ穴が設けられているから、応力の集中による負荷つまり応力の集中部の破壊がこの逃げ穴によって防止できる。
また、この折りたたみ自在な硬質紙製包装用箱は前記したように逃げ穴が設けられているから、逃げ穴から被包装物を認識できるから、郵便法に基づくいわゆる第４種用（開封便）に採用できる利点も有する。
【００１５】
その上、底面の両側寄りには傾斜した折目が設けられているから、底面の両側寄りの部分を水平方向に平面から見て三角の板状に折り曲げることができ、底面全体を損傷させることなく水平に保持できる。
そして、閉鎖用フラップを被包装物の収納後に開口縁を境にして内側に向けて折り曲げ、知られるように非包装物（たとえば書籍やビデオカセットテープなど）を封緘することにより包装を行うことができる。
【００１６】
硬質紙製包装用箱の非使用時について
組み立てられた硬質紙製包装用箱を保管や輸送に備えて折りたたむ方法を説明する。
箱の両側の側面を側部の折目と側部の第２の折目を介して側部の折目を外側に向けて板状に折りたたむ。
また、箱の底面は、底部の折目と底部の第２の折目を介して底部の折目を外側に向けて板状に折りたたむ。
また、閉鎖用フラップは開口縁を境にして内側に折りたたむ。
かくして、この箱は一体であり、かつ、その材質が硬質の紙ではあるものの、全体として板状にできるから嵩張ることがないので保管や輸送の利便性に寄与できる。
【００１７】
該包装用箱本体の側面と底面との幅が等しく設定されているから、側面と底面をそれぞれ板状の状態から直角状態に立起こさせたとき、なんらの障害もなく、底面の長さによる側面の幅を備えた箱が得られる。
【００１８】
請求項２記載の折りたたみ自在な硬質紙製包装用箱の発明は、請求項１記載の発明において、逃げ穴が側部の折目と底部の第２の折目の交差部を中心として底部の第２の折目の線方向に楕円形に設けられてなることを特徴とするものである。
【００１９】
請求項２記載の折りたたみ自在な包装用箱の発明は、上記の構成であるから、請求項１記載の発明が奏する作用効果のほかに、逃げ穴が前記の楕円形であるから、側部の折目と底部の第２の折目の交差部に応力が集中しても、応力が分散し、一層応力の集中部の破壊がこの逃げ穴によって防止できる。
ところで、折りたたみ自在な底面が側面に対して直角方向に立起されたときに底面の両側は平面からみて側面から飛び出した三角形として表れる（図３を参照）。
この場合、この飛び出した三角形の底面の一部は底部の第２の折目を境にして水平方向に強制的に折曲されるから、三角形の底面の一部はこの底部の第２の折目を境にして側面と同じ水平方向に復元するおそれがある。
しかし、逃げ穴が側部の折目と底部の第２の折目の交差部に底部の第２の折目の線方向において楕円形に設けらていることにより、三角形の底面の一部に形成された底部の第２の折目の相当部分を除くことになる。
その結果、底部の第２の折目の相当部分が存在しないことになるから、底部の第２の折目によって生じるいわゆる折れ目くせによって奏する復元作用の発生を大幅に減殺できるので水平に立起されたときの底面の両側部分を原形態に復元させることがない。
【００２０】
請求項３記載のの折りたたみ自在な硬質紙製包装用箱の発明は、
方形状であって有底の包装用箱本体の開口縁に閉鎖用フラップが連設されてなる折りたたみ自在な硬質紙製包装用箱において、前記の開口縁と直角方向であって該包装用箱本体の両側の側部縁に側部の折目がそれぞれ設けられ、側部の折目の内側に一定の間隔を隔てて側部の折目と平行に側部の第２の折目が該包装用箱本体の正面および背面にそれぞれ設けられ、側部の折目からその両側の側部の第２の折目に至る部分が該包装用箱本体１の折りたたみ自在な側面として区画形成され、一方、該閉鎖用フラップの反対側の該包装用箱本体の底部縁に底部の折目が設けられ、底部の折目の内側に一定の間隔を隔てて底部の折目と平行に底部の第２の折目が該包装用箱本体の正面および背面にそれぞれ設けられ、底部の折目からその両側の底部の第２の折目に至る部分が該包装用箱本体の折りたたみ自在な底面として区画形成され、該閉鎖用フラップにおいて、包装用箱本体と該閉鎖用フラップとの境に開口縁側の折目が、該開口縁側の折目から一定の間隔を隔てて該開口縁側の折目と平行に蓋部の折目が、さらに、該蓋部の折目から一定の間隔を隔てて該蓋部の折目と平行に蓋部の第２の折目がそれぞれ設けられるとともに該蓋部の折目からその両側の蓋部の第２の折目および開口縁側の折目に至る部分が該包装用箱本体の折りたたみ自在な蓋面として区画形成され、前記の該包装用箱本体の側面、底面および蓋面の幅が等しく設定されてなることを特徴とするものである。
【００２１】
請求項３記載の折りたたみ自在な包装用箱の発明は、上記の構成であるから、両側の側面、底面および閉鎖用フラップに形成された蓋面をそれぞれ断面山形状に形成して被包装物を保護できるから、断面山形状に形成された両側の側面、底面および閉鎖用フラップに形成された蓋面の内側にそれぞれ断面三角状の空気層を形成できるので、この空気層がとりわけ衝撃吸収に寄与し、衝撃吸収特性に富んだ折りたたみ自在な硬質紙製包装用箱を提供できる（図１３、図１４を参照）。
【００２２】
硬質紙製包装用箱の使用時について
板状に折りたたまれた硬質紙製包装用箱を使用に備えて組立てる方法を説明する。
該箱の側部の折目付近を内側に向けて押圧する。
かくして側部の折目の両側の側面（使用時の側面の１／２の面積を占める）は側部の折目と両側の側部の第２の折目を介して板状の状態から直角状態に立起され、箱としての正規の側面（使用時の側面の１／１の面積を占める）を構成することになる。
【００２３】
他方、該箱の底部の折目付近を内側に向けて軽く押圧する。
かくして底部の折目の両側の底面（使用時の底面の１／２の面積を占める）は底部の折目と両側の底部の第２の折目を介して板状の状態から山形の状態に立起され、箱としての正規の底面が山形の状態を呈することになる（使用時の底面の１／１の面積を占める）。
【００２４】
さらに、被包装物を該箱本体内に収納した後、該箱の閉鎖用フラップの開口縁側の折目を境にして閉鎖用フラップを包装用箱本体の背面に向けて軽く折り曲げるとともに蓋面（使用時の底面の１／２の面積を占める）の折目を介して板状の状態から山形の状態に立起させる。
かくして、蓋面は山形の状態を形成することになる（使用時の底面の１／１の面積を占める）。
【００２５】
そして、蓋部の第２の折目を介してその外側に形成される糊代を包装用箱本体の背面に沿わせて折り曲げ接着する。
【００２６】
硬質紙製包装用箱の非使用時について
組み立てられた硬質紙製包装用箱を保管や輸送に備えて折りたたむ方法を説明する。
箱の両側の側面を側部の折目と側部の第２の折目を介して側部の折目を外側に向けて板状に折りたたむ。
また、箱の底面は、底部の折目と底部の第２の折目を介して底部の折目を外側に向けて板状に折りたたむ。
また、閉鎖用フラップは開口縁を境にして内側に折りたたむ。
したがって、箱はその材質が硬質の紙ではあるものの、全体として板状にできるから嵩張ることがないので保管や輸送の利便性に寄与できる。
【００２７】
【発明の実施の形態】
この発明の実施の形態に係る折りたたみ自在な硬質紙製包装用箱を図１〜図６を参照して以下に説明する。
この発明による包装用箱の紙質は、衝撃吸収性を図るため一般的に洗剤、お菓子などの箱やミルクのパッケージに採用される硬質である板紙が適当である。
方形状であって有底の包装用箱本体１０の開口縁に閉鎖用フラップ１２が連設されてなる折りたたみ自在な硬質紙製包装用箱である。
詳細については追って説明するが、閉鎖用フラップ１２は２通りの使用に備えた構成が採用されている。
【００２８】
その１は、一般的に広く採用されている閉鎖用フラップと同様に単に包装用箱本体１０と該閉鎖用フラップ１２との境に設けられた開口縁側の折目１２ｃを介して折り曲げられるよに配慮されている。
その２は、該閉鎖用フラップ１２を折り曲げたときに、後述する蓋面Ｃを山形の状態に形成し、山形状に変化した蓋面Ｃの内側に空気層ができるように配慮されている。
そこで、実施例の形態についてさらに説明すると、該閉鎖用フラップ１２において、包装用箱本体１０と該閉鎖用フラップ１２との境に開口縁側の折目１２ｃが設けられることにより、閉鎖用フラップ１２を箱本体１０の背面に向けて折り曲げられるようにされている。
【００２９】
該開口縁側の折目１２ｃから一定の間隔を隔てて該開口縁側の折目１２ｃと平行に蓋部の折目１２ａが設けられている。
さらに、該蓋部の折目１２ａから一定の間隔を隔てて該蓋部の折目１２ａと平行に蓋部の第２の折目１２ｂが設けられ、該蓋部の折目１２ａからその両側の蓋部の第２の折目１２ｂおよび開口縁側の折目１２ｃに至る部分が該包装用箱本体１０の折りたたみ自在な蓋面Ｃとして区画形成され、蓋部の折目１２ａを頂部として折りたたみ自在な蓋面Ｃを山形の状態に形成できるようにされている。
また、蓋面Ｃの幅は追って説明する該包装用箱本体１０の側面Ｓおよび底面Ｂとの幅に等しく設定されることにより、包装用箱本体１０の周囲に均等な幅による山形状の蓋部Ｃが得られるようにしてある（図４、図６を参照）。
【００３０】
前記の開口縁と直角方向であって該包装用箱本体１０の両側のそれぞれの側部縁に側部の折目１４が設けられている。
両側の側部の折目１４の内側に一定の間隔を隔てて側部の折目１４と平行に側部の第２の折目１６が該包装用箱本体１０の正面および背面にそれぞれ設けられている（図１および図２を参照）。
この発明の実施の形態では、側部の折目１４からその折目１４を挟む両側の側部の第２の折目１６に至る部分が該包装用箱本体１０の折りたたみ自在な側面Ｓとして区画形成されている。
つまり、図１、図２は、該包装用箱の折りたたみ時の状態を表しているから、側面Ｓは折目１４を境にしてその両側に図面上箱の使用時の側面Ｓの１／２の面積が表れていることになる。
【００３１】
閉鎖用フラップ１２の反対側の該包装用箱本体１０の底部縁に底部の折目１８が設けられている。
底部の折目１８の内側に一定の間隔を隔てて底部の折目１８と平行に底部の第２の折目２０が該包装用箱本体１０の正面および背面にそれぞれ設けられている（図１、図２を参照）。
この発明の実施の形態では、底部の折目１８からその両側の底部の第２の折目２０に至る部分が該包装用箱本体１０の折りたたみ自在な底面Ｂとして区画形成されている。
つまり、図１、図２では、該包装用箱の折りたたみ時の状態を表しているから、
底面Ｂは底部の折目１８を境にしてその両側に図面上箱の使用時の底面Ｂの１／２の面積が表れていることになる。
換言すれば、板状に、かつ、使用時の１／２の面積に折りたたまれた箱の側面Ｓと箱の底面Ｂをそれぞれの前記した折目１４、１６、１８、２０を境にして開くことにより目的とする使用に備えた１／１の面積を備えた箱の側面Ｓと底面Ｂがそれぞれ形成されることになる（図３を参照）。
【００３２】
また、前記した側面Ｓと底面Ｂとの幅が等しく設定されている。
側面Ｓと底面Ｂとの幅が等しく設定されていることにより、１／２の面積に折りたたまれた非使用時の箱の側面Ｓと箱の底面Ｂを使用時に備えて開いたとき箱の側面Ｓと箱の底面Ｂが１／１の面積となり、使用時の正規の側面Ｓと底面Ｂを形成できる。
【００３３】
側部の第２の折目１６と底部の第２の折目２０の交差部Ｐから底部の折目１８の外側端にかけて傾斜した折目２２が包装用箱本体１０の正面および背面にそれぞれ設けられている。
傾斜した折目２２を設ける意図の詳細は追って説明するが、前記した１／２の面積に折りたたまれた非使用時の箱の側面Ｓと箱の底面Ｂを使用時に備えて開いたとき、とりわけ、箱の底面Ｂの隅に負荷がかからないようにすることにある。
【００３４】
側部の折目１４と底部の第２の折目２０の交差部に逃げ穴２４が設けられている。
逃げ穴２４についてさらにいえば、底部の第２の折目２０の線上において楕円形に設けられている。
【００３５】
前記した閉鎖用フラップ１２についてさらに敷衍すると、該包装用箱本体１０との境の開口縁側の折目１２ｃを介して連設されている。
そして、この折目１２ｃの反対側にいわゆる糊代１２ｄが設けられ、前記した該包装用箱本体１０との境に折目１２ｃと外側寄りの糊代１２ｄとの間に一定の間隔を隔てて２本のフラップの蓋部の折目１２ａ、蓋部の第２の１２ｂが設けれている。
この発明の実施の形態では閉鎖用フラップ１２を折曲させたときに、該フラップ１２の断面の形態を山形にすることのできることを意図して蓋部の折目１２ａが設けられているが、該フラップ１２の断面形態を山形にすることなく、従来のように断面形態をＬ字状にする場合に備えて蓋部の折目１２ａを省略することも発明者は予定している。
該フラップ１２の両側に変形の略三角の横フラップ１２ｅが設けられているが、該フラップ１２を断面山形の形状にしてこの箱を使用するときに備え、側面に形成される空白部分を少なくする目的のものである。
したがって、該フラップ１２を断面山形の形状にしてこの箱を使用しない場合は必ずしもこの横フラップ１２ｅを必要とはしない。
なお、図２において符号１４ａとして表されている部分は、該包装用箱本体１０の側部に折り返された糊代である。
【００３６】
そこで、この発明の実施の形態による包装用箱の使用方法について説明する。板状に折りたたまれた硬質紙製包装用箱を使用に備えて組立て、被包装物を包装する場合について（その１）
該箱の側部の折目１４付近を内側に向けて押圧する。
かくして側部の折目１４の両側の側面Ｓ（使用時の側面の１／２の面積を占める）は側部の折目１４と両側の側部の第２の折目１６を介して板状の状態から直角状態に立起され、箱としての使用時の側面（使用時の側面の１／１の面積を占める）が形成される。
【００３７】
他方、該箱の底部の折目１８付近を内側に向けて押圧する。
かくして底部の折目１８の両側の底面Ｂ（使用時の底面の１／２の面積を占める）は底部の折目１８と両側の底部の第２の折目２０を介して板状の状態から直角状態に立起され、箱としての使用時の底面Ｂ（使用時の底面の１／１の面積を占める）が形成される。
【００３８】
箱の側面Ｓと箱の底面Ｂとは底面側においてＬ字状に繋がっているから、側部の折目１４と底部の第２の折目２０の交差部Ｐには押圧による負荷がかかり、箱の側面Ｓと箱の底面Ｂを板状の状態から直角状態に立起させることは本来困難である。
【００３９】
そこで、負荷がかかることなく箱の側面Ｓや底面Ｂを板状の状態から直角状態に立起させて使用に供することができるようにするため、側部の折目１４と底部の第２の折目２０の交差部に逃げ穴２４が設けられ、さらに、側部の第２の折目１６と底部の第２の折目２０の交差部Ｐから底部の折目１８の外側端にかけて傾斜した折目２２が該包装用箱本体１０の正面および背面にそれぞれ設けられていることにより、前記した負荷の解消を図るようにしているから、本来、硬質の紙であれば自由に折りたたみできないものが可能となった。
【００４０】
この点について、さらに言及すると、板状に折曲された側面Ｓを押圧させて開く場合にその応力は底面Ｂと直角方向に作用する。
他方、板状に折曲された底面Ｂを押圧させて開く場合にその応力は側面Ｓと直角方向に作用するし、その応力は側面Ｓと底面Ｂの交差する部分に集中する。
しかし、この発明では前記したように側部の折目１４と底部の第２の折目２０の交差部に逃げ穴２４が設けられているから、応力の集中による負荷つまり応力の集中部の破壊がこの逃げ穴によって防止できる。
その上、底面Ｂの両側寄りには傾斜した折目２２が設けられているから、底面Ｂの両側寄りの部分を水平方向に平面から見て三角の板状に折り曲げることができる（図３を参照）。
また、閉鎖用フラップ１２は、蓋部の折目１２ａの存在を無視して被包装物の収納後に開口縁の折目１２ｃを境にして断面Ｌ字状に内側に向けて折り曲げ、知られるように糊代１２ｄが包装用箱本体１０に接着され、封緘することにより包装が行われる。
【００４１】
板状に折りたたまれた硬質紙製包装用箱を使用に備えて組立て、被包装物を包装する場合について（その２）
ところで、この発明の実施の形態では、前記したように、両側の側面Ｓには側部の折目１４および側部の折目１４の両側に側部の第２の折目１８が備えられているものである。
一方、箱の底面Ｂは底部の折目１８の両側に底部の第２の折目２０が備えられているものである。
そして、閉鎖用フラップ１２は蓋部の折目１２ａの両側に開口縁の折目１２ｃと蓋部の第２の折目１２ｂが備えられているものである。
そして、該蓋部の折目１２ａからその両側の蓋部の第２の折目１２ｂおよび開口縁側の折目１２ｃに至る部分が該包装用箱本体１０の折りたたみ自在な蓋面Ｃとして区画形成され、蓋部の折目１２ａを頂部として折りたたみ自在な蓋面Ｃを山形の状態に形成できるようにされている。
【００４２】
また、蓋面Ｃの幅を該包装用箱本体１０の側面Ｓおよび底面Ｂとの幅に等しく設定することにより、包装用箱本体１０の周囲に均等な幅による山形状の蓋部Ｃが得られるようにしてある（図４、図６を参照）。
したがって、包装用箱本体１０の周囲に位置する両側の側面Ｓ、底面Ｂおよび閉鎖用フラップ１２はそれぞれ中央に位置する側部の折目１４、底部の折目１８、蓋部の折目１２ａを基準にして直角方向に広げることなく、４５度の角度により開くことは可能である。
つまり、両側の側面Ｓ、底面Ｂおよび閉鎖用フラップ１２を４５度の角度により開くことは、両側の側面Ｓ、底面Ｂおよび閉鎖用フラップ１２が包装用箱本体１０の周囲に断面山形の形態に制御されることになる。
その結果、図４および図６を参照して理解できるように包装用箱本体１０の周囲に断面三角状の空気層が形成され、この空気層の存在が被包装物たとえばビデオテープやＣＤカセット、ＦＤなど衝撃吸収性に大きく寄与することを発明者は確認した。
【００４３】
なお、専ら、包装用箱本体１０の周囲に位置する両側の側面Ｓ、底面Ｂおよび閉鎖用フラップ１２の蓋面Ｃを山形の形態において使用する場合は、前記した傾斜した折目２２および逃げ穴２４の構成は省略してもよい（図１１〜図１３を参照）。
【００４４】
次に他の実施の形態を図７〜図１０を参照して説明する。
この例と先の例とは実質上の相違な少ないから相違点について言及し、共通点は先の説明を援用する。
この例はたとえば、重量の多い書籍などを包装する目的のもので、形態はＡ型の封筒のサイズに対応したものである。
【００４５】
さらに、他の実施の形態を図１１〜図１３を参照して説明する。
この例は、前記した専ら、包装用箱本体１０の周囲に位置する両側の側面Ｓ、底面Ｂおよび閉鎖用フラップ１２の蓋面Ｃを山形の形態において使用する場合に備えた例である。
したがって、前記したように前記した傾斜した折目２２および逃げ穴２４の構成は省略されているが、省略された構成のほかは、前記した例の構成、作用効果および使用時の組立非使用時の折りたたみは共通しているから、前記の説明を援し、前記の説明にない点を敷衍する。図面上の符号は前記して例と共通である。
【００４６】
包装用箱本体１０の周囲に位置する両側の側面Ｓ、底面Ｂおよび閉鎖用フラップ１２の蓋面Ｃに設けられたそれぞれの側部の折目１４、側部の折目１４の両側の側部の第２の折目１６、底部の折目１８、底部の折目１８の両側の底部の第２の折目２０、閉鎖用フラップ１２の蓋部の折目１２ａ、蓋部の折目１２ａの両側の両側の蓋部の第２の折目１２ｂおよび開口縁側の折目１２ｃを介して両側の側面Ｓ、底面Ｂおよび閉鎖用フラップ１２の蓋面Ｃはそれぞれ山形の形態に変化できる。
【００４７】
したがって、被包装物Ｄを包装後、両側の側面Ｓ、底面Ｂおよび閉鎖用フラップ１２の蓋面Ｃを山形の形態にすることにより、両側の側面Ｓ、底面Ｂおよび閉鎖用フラップ１２の蓋面Ｃの内側には断面三角形の空気層Ｆを形成することができるから、一層、衝撃吸収特性に富んだ包装箱を得ることができる。
なお、図１４における符号Ｅは紙製の段ボールなどの緩衝材である。
【図面の簡単な説明】
【図１】この発明の実施の形態の折りたたみ自在な硬質紙製包装用箱の折りたたみ時の正面図である。
【図２】この発明の実施の形態の折りたたみ自在な硬質紙製包装用箱の折りたたみ時の背面図である。
【図３】この発明の実施の形態の折りたたみ自在な硬質紙製包装用箱の使用時の斜視図である。
【図４】この発明の実施の形態の折りたたみ自在な硬質紙製包装用箱の別の使用時の斜視図である。
【図５】この発明の実施の形態の折りたたみ自在な硬質紙製包装用箱の使用時における閉鎖用フラップの封緘状態を示す要部の断面図である。
【図６】この発明の実施の形態の折りたたみ自在な硬質紙製包装用箱の使用時における別の閉鎖用フラップの封緘状態を示す要部の断面図である。
【図７】この発明の他の実施の形態の折りたたみ自在な硬質紙製包装用箱の折りたたみ時の正面図である。
【図８】この発明の他の実施の形態の折りたたみ自在な硬質紙製包装用箱の折りたたみ時の背面図である。
【図９】この発明の他の実施の形態の折りたたみ自在な硬質紙製包装用箱の使用時の斜視図である。
【図１０】この発明の他の実施の形態の折りたたみ自在な硬質紙製包装用箱の別の使用時の斜視図である。
【図１１】この発明のさらに他の実施の形態の折りたたみ自在な硬質紙製包装用箱の折りたたみ時の正面図である。
【図１２】この発明のさらに他の実施の形態の折りたたみ自在な被包装物の包装前の硬質紙製包装用箱の使用時の斜視図である。
【図１３】この発明のさらに他の実施の形態の折りたたみ自在な被包装物の包装後の硬質紙製包装用箱の使用時の斜視図である。
【図１４】図１３の要部の拡大断面図である。
【図１５】従来技術を示す正面図である。
【図１６】他の従来技術を示す分解斜視図である。
【符号の説明】
１０　硬質紙製包装用箱本体
１２　閉鎖用フラップ
１２ａ　蓋部の折目
１２ｂ　蓋部の第２の折目
１２ｃ　開口縁側の折目
１２ｄ　糊代
１２ｅ　横フラップ
１４　側部の折目
１４ａ　糊代
１６　側部の第２の折目
１８　底部の折目
２０　底部の第２の折目
２２　傾斜した折目
２４　逃げ穴
４０　折目
４２　箱本体
４４　閉鎖用フラップ
４６　底部用フラップ
４６ａ　横フラップ
４６ｂ　舌片
４６ｃ　折目
４８　内装本体
５０　折目
５２　折目
Ｓ　硬質紙製包装用箱の側面
Ｂ　硬質紙製包装用箱の底面
Ｃ　閉鎖用フラップの蓋面
Ｄ　被包装物
Ｆ　空気層
Ｐ　交差部
Ｅ　紙製緩衝材
【図１】
2004115047.tif 000003
【図２】
2004115047.tif 000004
【図３】
2004115047.tif 000005
【図４】
2004115047.tif 000006
【図５】
2004115047.tif 000007
【図６】
2004115047.tif 000008
【図７】
2004115047.tif 000009
【図８】
2004115047.tif 000010
【図９】
2004115047.tif 000011
【図１０】
2004115047.tif 000012
【図１１】
2004115047.tif 000013
【図１２】
2004115047.tif 000014
【図１３】
2004115047.tif 000015
【図１４】
2004115047.tif 000016
【図１５】
2004115047.tif 000017
【図１６】
2004115047.tif 000018